(57)【要約】      （修正有）【課題】タッピングサドルに使用するための幾何学的な加熱素子、穿孔するための方法、ならびに、管片とサドルピースとを備えた、媒体を搬送するプラスチック製の主管用のタッピングサドルを提供する。【解決手段】管片は、中心軸線を有しており、サドルピースの内径部には、幾何学的な加熱素子６が配置されており、幾何学的な加熱素子６は、主管外周面におけるタッピングサドルの融着に用いられ、幾何学的な加熱素子６は、好ましくはワイヤからなる巻線８を有しており、巻線８は、外側巻線領域１０と内側巻線領域９とを有しており、内側巻線領域９の巻線８は、蛇行状のループ１２を成して管片の中心軸線と同心の円に沿って延びている。【選択図】図２
2018179299.tif 000002
【特許請求の範囲】
【請求項１】
媒体を搬送するプラスチック製の主管（７）用のタッピングサドル（１）であって、
好ましくは雌ねじ（１５）付き管片（２）と、サドルピース（４）と、好ましくはドリル（３）とを備え、
前記管片（２）は、中心軸線（１１）を有しており、
前記ドリル（３）は、好ましくは前記管片（２）内に配置され、好ましくは該ドリル（３）に配置された雄ねじ（１６）を用いて、前記管片（２）内で軸方向にシフト可能であり、
前記サドルピース（４）の内径部（５）には、幾何学的な加熱素子（６）が配置されており、該幾何学的な加熱素子（６）は、主管外周面における前記タッピングサドル（１）の融着に用いられる、タッピングサドル（１）において、
前記幾何学的な加熱素子（６）が、好ましくはワイヤからなる巻線（８）を有しており、
前記巻線（８）は、外側巻線領域（１０）と内側巻線領域（９）とを有しており、
前記内側巻線領域（９）の巻線は、蛇行状のループ（１２）をなして前記管片（２）の中心軸線（１１）と同心の円に沿って延びていることを特徴とするタッピングサドル（１）。
【請求項２】
前記幾何学的な加熱素子（６）は、支持体材料を有しており、前記巻線（８）は、好ましくは前記支持体材料に配置されている、請求項１記載のタッピングサドル（１）。
【請求項３】
前記蛇行状のループ（１２）は、径方向に延びる複数の巻線区間（１３）を有しており、該巻線区間（１３）は、前記中心軸線（１１）と同心に配置された円に沿って環状に配置されており、円弧部分（１４）によって、好ましくは径方向部分によって、相互に接続されている、請求項１または２記載のタッピングサドル（１）。
【請求項４】
前記外側巻線領域（１０）の前記巻線（８）は、渦巻き状、多角形状または蛇行状に延びている、請求項１から３までのいずれか１項記載のタッピングサドル（１）。
【請求項５】
前記ドリル（３）は、前記主管（７）および前記サドルピース（４）の穿孔の際に、前記内側巻線領域（９）または前記蛇行状のループ（１２）を切断する、請求項１から４までのいずれか１項記載のタッピングサドル（１）。
【請求項６】
前記ドリル（３）の剪断縁部は、前記巻線区間（１３）の領域において、前記蛇行状のループ（１２）を切断する、請求項３から５までのいずれか１項記載のタッピングサドル（１）。
【請求項７】
蛇行状に延びる前記内側巻線領域（９）の前記巻線区間（１３）は、前記ドリル（３）の剪断縁部に対して、または前記サドルピース（４）内で生じた剪断縁部に対して直角に配向されている、請求項１から６までのいずれか１項記載のタッピングサドル（１）。
【請求項８】
好ましくは請求項１から７までのいずれか１項記載のタッピングサドル（１）に加熱素子として使用するための幾何学的な加熱素子（６）であって、
前記幾何学的な加熱素子（６）が、好ましくはワイヤからなる巻線（８）を有しており、
前記巻線（８）は、外側巻線領域（１０）と内側巻線領域（９）とを有しており、
前記内側巻線領域（９）の巻線（８）では、管片（２）の中心軸線（１１）と同心の円に沿って蛇行状のループ（１２）が延びていることを特徴とする、幾何学的な加熱素子（６）。
【請求項９】
前記幾何学的な加熱素子（６）は、支持体材料を有しており、前記巻線（８）は、好ましくは前記支持体材料に配置されている、請求項８記載の幾何学的な加熱素子（６）。
【請求項１０】
前記巻線（８）は、サドルピース（４）内に固定されている、請求項８記載の幾何学的な加熱素子（６）。
【請求項１１】
前記蛇行状のループ（１２）は、径方向に延びる複数の巻線区間（１３）を有しており、該巻線区間（１３）は、前記中心軸線（１１）と同心に配置された円に沿って環状に配置されており、円弧部分（１４）によって、好ましくは径方向部分によって、相互に接続されている、請求項８記載の幾何学的な加熱素子（６）。
【請求項１２】
前記巻線（８）は、支持体材料に縫合されている、請求項８記載の幾何学的な加熱素子（６）。
【請求項１３】
媒体を搬送するプラスチック製の主管（７）を穿孔するための方法であって、
好ましくは請求項１から７までのいずれか１項記載のタッピングサドル（１）を、前記主管（７）の外周面に配置するステップと、
前記主管（７）の外周面に前記タッピングサドル（１）を融着するステップと、
前記主管（７）を穿孔し、前記タッピングサドル（１）のサドルピース（４）を貫通穿孔するステップと、を含む方法において、
前記穿孔が、前記サドルピース（４）内に配置された幾何学的な加熱素子（６）を貫通して行われ、その際、好ましくは、前記幾何学的な加熱素子（６）の巻線（８）の内側巻線領域（９）を通って穿孔され、ワイヤが切断されることを特徴とする方法。
【発明の詳細な説明】
【技術分野】
【０００１】
本発明は、タッピングサドルに使用するための幾何学的な加熱素子に関し、さらに、媒体を搬送するプラスチック製の主管用のタッピングサドルであって、雌ねじ付き管片と、サドルピースと、好ましくはドリルとを備え、管片は、中心軸線を有しており、ドリルは好ましくは管片内に配置され、好ましくはドリルに配置された雄ねじを用いて管片内で軸方向にシフト可能であり、サドルピースの内径部には、好ましくはワイヤからなる幾何学的な加熱素子が配置されており、幾何学的な加熱素子は、主管外周面におけるタッピングサドルの融着に用いられる、タッピングサドルに関する。
【背景技術】
【０００２】
タッピングサドルおよび管タッピング継手は、従来技術から公知であり、分岐管を主管に接続するのに用いられている。欧州特許出願公開第０６７９８３１号明細書には、分岐連結部を製造するための接続成形体が開示されており、そこに使用される加熱素子は、巻線支持体を有しており、巻線支持体内に設けられた溝に抵抗ワイヤが挿入された後で、巻線支持体が接続成形体に素材結合により埋め込まれる。
【０００３】
この実施形態は、管片の内径部領域におけるサドルピース内径部への移行部に、欠陥のある抵抗ワイヤによってコールドゾーンが形成され、このコールドゾーンが長期にわたる圧力特性のもとで弱体箇所とみなされる欠点を有している。なぜなら、媒体圧力によってサドルに力が加わり、それが管からのサドルの剥がれを引き起こすからである。
【０００４】
コールドゾーンを可及的に減少させ、これによって融着ゾーンを管片の内径部の近傍に移動させる変化形態が対策を講じるために存在するが、このこと自体は、この変化形態が望ましくないワイヤ離脱および溶融物離脱の傾向になるという欠点をもたらす。
【０００５】
欧州特許出願公開第０５６５３９７号明細書には、プラスチック部分を融着するための加熱抵抗体を製造するための方法が開示されている。この加熱抵抗体は、格子として製造されるかまたは円筒状の管部品の形態の格子としても製造され、その後で、円筒状形態部の圧縮によって平坦な鍔状の形態にもたらされる。ここでの欠点は、この加熱抵抗体が支持体材料に固定されていないことにあり、そのためワイヤが相互に望ましくなくシフトし、プラスチック部分からワイヤが離脱する傾向にある。
【０００６】
中国特許出願公開第１０５２９９３７２号明細書および日本国特許第５８３２２４８号公報も同様に、特定の巻線経過を有するタッピングサドル用の加熱巻線を開示している。しかしながら、これらの加熱巻線における欠点は、それらが中央領域に大きなコールドゾーンを有しており、このコールドゾーンが既に前述したように弱体箇所を形成し、そこにおいて接合部が容易に剥がれやすいことにある。
【発明の概要】
【発明が解決しようとする課題】
【０００７】
本発明の課題は、中央部にあるかまたは孔部に直接続くコールドゾーンが除去され、融着の弱体化をもたらす恐れのあるワイヤ離脱または溶融物離脱を生じさせない、タッピングサドルと、穿孔（タッピング）のための方法と、対応する幾何学的な加熱素子とを提供することである。
【課題を解決するための手段】
【０００８】
この課題は、本発明により、幾何学的な加熱素子が、好ましくはワイヤからなる巻線を有しており、この巻線は、外側巻線領域と内側巻線領域とを有しており、内側巻線領域の巻線は、蛇行状のループを成して管片の中心軸線と同心の円に沿って延びていることによって解決される。
【０００９】
好ましくは、巻線は、支持体材料に配置されている。蛇行状のループは、管片の内径部内へ突出しており、それらはもちろんサドルピースに埋め込まれている。これらのループは、穿孔の際にドリルによって蛇行状の加熱素子領域が切断される程度に管片の領域内に突出している。これにより、融着された領域は、ドリル孔部まで到達する。もちろん、融着過程は、穿孔の前に実施されており、これにより内側巻線領域または巻線の内側巻回部は、融着過程の間はまだ切断されていない。
【００１０】
媒体を搬送するプラスチック製の主管用の本発明によるタッピングサドルは、好ましくはドリルのシフトに用いられる雌ねじ付き管片を含んでおり、ただしこの場合、管片は雌ねじなしで実施されていてもよく、例えば外部ツールもしく外部ドリルを用いて穿孔することも可能である。もちろん、タッピングサドルは、雌ねじを備え対応する雄ねじ付きドリルを備えたさらに別の管片が適合化可能である管片を有することも可能である。したがって、このことは適合化可能なＴ型穿孔部付きのタッピングサドルに相応する。
【００１１】
管片は、中央軸線を有しており、この中央軸線は、ドリルの中央軸線にも相応している。タッピングサドルは、さらにサドルピースを有しており、サドルピースの内径部には、主管における融着に用いられる幾何学的な加熱素子が配置されている。好ましくは、管片内に配置されているドリルは、管片内の雌ねじに対応する雄ねじを備えており、これによってドリルは軸方向にシフトすることができる。既に前述したように、タッピングサドルの穿孔は、外部ドリルを用いても可能である。
【００１２】
幾何学的な加熱素子は、好ましくは支持体材料および巻線を有する。この支持体材料は、好ましくはポリエチレンから製造される。巻線は、相応に巻回されたワイヤによって形成される。ワイヤは、好ましくは、縫合、プレスまたはカムの巻付けによって支持体材料に固定されるが、しかしながらプラウニングも可能であり、巻線がサドルピース内に直接プラウニングされることで支持体材料も省くことができる。巻線は内側領域と外側領域とを有しており、内側巻線領域では、管片の中心軸線と同心の円に沿って蛇行状のループが延びている。個々のループと中心軸線との間の間隔はそれぞれ同一である。
【００１３】
好ましくは、蛇行状のループは、径方向に延びる複数の巻線区間または中心軸線から径方向に離れるように延びる巻線区間を有しており、この巻線区間は、中心軸線と同心に配置された円に沿って環状に配置されており、さらに円弧部分、好ましくは径方向部分によって、相互に接続されている。蛇行状のループの内側円弧部分または径方向部分は、好ましくは全て同じ幅だけ中心軸線から離間されている。この内側巻線領域の配置構成は、穿孔された状態における内側コールドゾーンの解消に用いられる。閉鎖されたサドルピース内に埋め込まれた蛇行状のループは、管片の中空空間の領域内に突出し、これによって、サドルピースの貫通穿孔の際には、サドルピースのプラスチックを貫通して穿孔するだけでなく、ドリルは、内側巻線も貫通して穿孔するかまたは蛇行状のループを分断する。これにより、管片に直接接続する内側コールドゾーンを回避することができる。その代わりに、内側巻線は管片に直接隣接する。融着は穿孔の前に行われ、中央部におけるコールドゾーンなしの配置構成によって、ワイヤ離脱または溶融物離脱を生じさせることなくサドルピースと主管との間の良好な接続が保証される。さらに、内部領域における主管からのサドルピースの剥離も、コールドゾーンがないことによって回避することができる。
【００１４】
好ましくは、外側巻線は、内側巻線の周りに配置され、好ましくは同じワイヤから形成される。外側巻線の好ましい実施形態として、渦巻き状または蛇行状の配置構成が好適であることがわかっており、また多角形状の配置構成も好適であることがわかっている。
【００１５】
好ましい実施形態では、ドリルが、主管およびサドルピースの穿孔の際に、内側巻線領域または蛇行状のループを切断する。これにより、管片に直接接続するサドルピースの内側領域において、コールドゾーンが管片に直接接続しなくなることが可能となる。これにより、主管からサドルピースが剥離する不所望な作用を回避することができる。
【００１６】
好ましくは、ドリルの剪断縁部は、巻線区間の領域において、蛇行状のループを切断する。この分離箇所により、ドリルによるワイヤの引っ掛かりと、ワイヤの引き裂きとを回避することができる。
【００１７】
さらに、蛇行状に延びる内側巻線領域の巻線区間は、ドリルの剪断縁部に対して、またはサドルピース内で生じた剪断縁部に対して直角に配向されることが好ましいことがわかった。このことは、既に前述したように、ワイヤが望ましくないほどにドリル内で引っ掛かることを回避させる。
【００１８】
巻線の外側巻線領域は、渦巻き状、多角形状または蛇行状に延ばすことが可能であるが、他の配置構成も考えられる。
【００１９】
好ましくは、巻線は、断線や継ぎ目のない恒常的に延びるワイヤによって形成される。
【００２０】
本発明による幾何学的な加熱素子は、タッピングサドルにおいて、加熱素子として使用するために用いられる。この幾何学的な加熱素子は、サドルの内径部に配置され、タッピングサドルと主管との融着に用いられる。幾何学的な加熱素子は巻線を有しており、ここでの巻線は、好ましくはワイヤから形成される。好ましい実施形態として、幾何学的な加熱素子が支持体材料を有するケースが示される。
【００２１】
支持体材料は、好ましくはサドルピースと同じ材料であり、例えばポリエチレンから製造される。
【００２２】
巻線は、内側領域と外側領域とを有しており、内側巻線領域の巻線では、管片の中心軸線と同心の円に沿って蛇行状のループが延びている。
【００２３】
蛇行状のループは、好ましくは径方向に延びる複数の巻線区間を有しており、この巻線区間は、中心軸線と同心に配置された円に沿って環状に配置され、円弧部分によって、好ましくは径方向部分によって、相互に接続されている。
【００２４】
支持体材料への巻線の固定を確実にし、ワイヤのシフトを回避するために、好ましくは、巻線は支持体材料に縫合されており、それにもかかわらず、ここでのワイヤは、縫合により、加熱の際の膨張の可能性も得られる。ここではまた他の固定タイプも考えられる。
【００２５】
好ましくは、巻線は、内側巻線領域において、蛇行状のワイヤ配置構成を有し、外側巻線領域において、渦巻き状、蛇行状、または多角形状のワイヤ配置構成を有する。
【００２６】
媒体を搬送するプラスチック製の主管を穿孔するための本発明による方法は、
タッピングサドルを主管の外周面に配置するステップと、
主管の外周面にタッピングサドルを融着するステップであって、この融着を、幾何学的な加熱素子の加熱を用いて実施するステップと、
タッピングサドルのサドルピースを貫通穿孔し、主管を穿孔するステップと、を含み、穿孔が、サドルピース内に配置された幾何学的な加熱素子を貫通して行われ、その際、好ましくは、幾何学的な加熱素子の巻線の内側巻線領域を通って穿孔され、ワイヤが切断される。
【００２７】
穿孔は、外部ドリルを用いても、管片内に配置されたドリルを用いても、実施することができる。
【００２８】
以下では本発明の実施例を図面に基づき説明するが、本発明はこの実施例に限定されるものではない。
【図面の簡単な説明】
【００２９】
【図１】本発明によるタッピングサドルの断面図
【図２】外側領域に渦巻き状の配置構成部を有する本発明による幾何学的な加熱素子
【図３】外側領域に蛇行状の配置構成部を有する本発明による幾何学的な加熱素子
【図４】外側領域に多角形状の配置構成部を有する本発明による幾何学的な加熱素子
【図５】従来技術から公知のタッピングサドルの融着および穿孔された部分断面図
【図６】本発明によるタッピングサドルの融着および穿孔された部分断面図
【発明を実施するための形態】
【００３０】
図１に示されている図面は、媒体を搬送するプラスチック製の主管用の本発明によるタッピングサドル１を断面図で示している。このタッピングサドル１は、中心軸線１１を有した管片２を備えており、その内部にはドリル３が配置されている。タッピングサドル１は、ドリルを含むさらに別の管片が適合化可能である管片を有していてもよいし、タッピングサドル１に固定可能であるＴ型穿孔部を有していてもよい。もちろん、タッピングサドルを貫通穿孔することができる外部ドリルも考えられるが、図１にはこの実施形態は示されていない。ドリル３は、好ましくは管片２内の雌ねじ１５に対応する雄ねじ１６を有しており、これによって、ドリル３を軸方向に位置調整することができる。タッピングサドル１は、主管７上に配置されるサドルピース４を有している。このサドルピース４の内径部５には、タッピングサドル１を主管７に融着するのに用いられる幾何学的な加熱素子６が配置されている。図１に示されている実施形態では、穿孔はまだ実施されていない。なぜなら、サドルピース４が、管片２への開放貫通路をまだ有していないことが見て取れるからである。これにより、巻線８または内側巻線領域９のワイヤが管片２の内側領域内に延在することも明確に見て取れる。したがって、融着されたサドルピース４および主管７の穿孔の際には、蛇行状に形成されている内側巻線領域９を通って貫通穿孔され、これによって、幾何学的な加熱素子６の巻線８または融着ゾーン１８が、穿孔によって生じる円筒状の開口部まで到達し、そのため内部にコールドゾーンは生じない。
【００３１】
図２は、幾何学的な加熱素子６の巻線８の可能な配置構成を示している。この巻線は、好ましくは、一定して延びているワイヤによって形成されており、好ましくは断線を有さない。この巻線８は、内側巻線領域９と外側巻線領域１０とを有しており、これらは異なる配置構成を有している。内側巻線領域９は、蛇行状の巻線を有しており、ここでは蛇行状のループ１２が、中心軸線１１と同心の円に沿って配置されている。これらのループ１２は、好ましくは中心軸線１１と同心に延びる円に沿って規則的に配置されている。これらの蛇行状のループ１２は、好ましくは径方向に配向された巻線区間１３を有しており、この巻線区間１３は、それらの端部が円弧部分または径方向部分１４を介して相互に接続されている。これらの内側円弧部分または径方向部分１４は、好ましくは中心軸線１１からすべて同じ距離を有している。ドリル３は、穿孔の際に、内側巻線領域９、好ましくは巻線区間１３を通って切断し、好ましくは巻線８，９の巻線区間は、ドリルに対して直角方向を向き、これによって、穿孔の際の望ましくないワイヤの引き抜きを回避することができる。外側巻線領域１０は、異なる構成であってもよい。図２には、本発明による幾何学的な加熱素子６の一実施形態が示されており、この実施形態は、外側巻線領域１０の渦巻き状の配置構成を有している。図３および図４には、外側巻線領域１０のさらに別の可能な配置構成が示されている。図３では、外側巻線領域１０内のワイヤは蛇行状に延びており、図４では、外側巻線領域１０のワイヤは、多角形状に配置されている。もちろん、外側巻線領域またはそのワイヤ経過のさらに別の配置構成も考えられる。
【００３２】
図５および図６は、既に主管７に融着されておりかつ既にドリルで穿孔されているタッピングサドル１の部分断面図を示している。図５は、従来技術から公知のタッピングサドルを示しており、ここでは、サドルピース４と主管７との間の孔部に、コールドゾーン１７が直接存在し、そのため主管７からのサドル部分４の剥離が生じ得ることが明確に見て取れる。図６は、本発明によるタッピングサドル１を示しており、これは、サドルピース４内に埋め込まれている本発明による加熱素子幾何学的形状部６を有している。ここでは、巻線８の内側巻線領域９が、ドリルによって切断され、これによって、孔部に直接隣接するのはコールドゾーンではなく加熱ゾーンであることが明確に見て取れる。このことは、内部領域における管片２下方の、孔部の縁部領域においても、またはサドルピース４の領域においても、良好な融着を直接保証する。穿孔管片１と主管７との融着は、もちろん穿孔の前に実施され、それに伴い、幾何学的な加熱素子６のワイヤは、融着の後で初めて切断される。図６では、穿孔アーマチュア１が、コールドゾーンの回避によって、孔部に直接接し、主管から剥離されないことが明確に見て取れる。
【符号の説明】
【００３３】
１      タッピングアーマチュア
２      管片
３      ドリル
４      サドルピース
５      サドルピース内径部
６      幾何学的な加熱素子
７      主管
８      巻線
９      内側巻線領域
１０    外側巻線領域
１１    中心軸線
１２    ループ
１３    巻線区間
１４    円弧部分、径方向部分
１５    雌ねじ
１６    雄ねじ
１７    コールドゾーン
１８    融着ゾーン
【図１】
2018179299.tif 000003
【図２】
2018179299.tif 000004
【図３】
2018179299.tif 000005
【図４】
2018179299.tif 000006
【図５】
2018179299.tif 000007
【図６】
2018179299.tif 000008
【外国語明細書】
2018179299.tif 000009
2018179299.tif 000010
2018179299.tif 000011
2018179299.tif 000012
2018179299.tif 000013
2018179299.tif 000014
2018179299.tif 000015
2018179299.tif 000016
2018179299.tif 000017
2018179299.tif 000018
2018179299.tif 000019
2018179299.tif 000020
2018179299.tif 000021
2018179299.tif 000022
2018179299.tif 000023
2018179299.tif 000024
2018179299.tif 000025
2018179299.tif 000026